(57)【特許請求の範囲】
【請求項１】
あるセルの端末がハンドオーバの試行を行う先のセルである試行先セルの候補である候補セルを選択するための情報処理装置であって、
前記あるセルと前記候補セルとの位置関係の緊密さを表す位置関係情報の導出を行い、前記位置関係情報について位置関係の緊密さがより高い旨の評価を行った候補セルに対して、より高い評価の重みづけを与えた評価結果の導出を行う、導出部と、
前記評価結果の出力を行う出力部と、
を備え、
より高い評価結果を導出したセルを優先的に候補セルとして選択し、
評価結果の高い候補セルを、優先的に、前記あるセルの基地局と前記端末との間で情報が共有される共有候補セルとして選択する
情報処理装置。
【請求項２】
あるセルに接続された端末がハンドオーバの試行を行う先のセルである試行先セルの候補である候補セルを選択するための情報処理方法であって、
前記あるセルと前記候補セルとの位置関係の緊密さを表す位置関係情報の導出を行い、前記位置関係情報について位置関係の緊密さがより高い旨の評価を行った候補セルに対して、より高い評価の重みづけを与えた評価結果の導出を行い、
前記評価結果の出力を行い、
より高い評価結果を導出したセルを優先的に候補セルとして選択し、
評価結果の高い候補セルを、優先的に、前記あるセルの基地局と前記端末との間で情報が共有される共有候補セルとして選択する
情報処理方法。
【請求項３】
前記重みづけが、前記位置関係情報についての位置関係の緊密さがより高い旨の評価を行った候補セルに対して、より高い評価結果の導出を行う重みづけである、請求項２に記載された情報処理方法。
【請求項４】
前記重みづけが、前記位置関係情報についての位置関係の緊密さが、ある基準より高い旨の評価を行った候補セルに対して、前記ある基準より高い旨の評価を行わなかった候補セルより、より高い評価結果の導出を行う重みづけである、請求項２に記載された情報処理方法。
【請求項５】
前記重みづけが、
前記候補セルの前記試行先セルとしての適性を評価するための条件に合致することの判定により絞り込んだ候補セルについて行う重みづけである、
請求項３に記載された情報処理方法。
【請求項６】
前記条件が、前記端末が求めた条件である、請求項５に記載された情報処理方法。
【請求項７】
前記条件が、
前記端末が送付した、基地局と前記端末との間の通信により情報が共有される複数の共有候補セルを絞りこむための情報に合致することである、
請求項５又は６に記載された情報処理方法。
【請求項８】
あるセルの端末がハンドオーバの試行を行う先のセルである試行先セルの候補である候補セルを選択するための処理をコンピュータに実行させる情報処理プログラムであって、
前記あるセルと前記候補セルとの位置関係の緊密さを表す位置関係情報を導出し、前記位置関係情報について位置関係の緊密さがより高い旨の評価を行った候補セルに対して、より高い評価の重みづけを与えた評価結果の導出を行う、処理と、
前記評価結果の出力を行う処理と、
より高い評価結果を導出したセルを優先的に候補セルとして選択する処理と、
評価結果の高い候補セルを、優先的に、前記あるセルの基地局と前記端末との間で情報が共有される共有候補セルとして選択する処理と
を含む処理をコンピュータに実行させる情報処理プログラム。
【発明の詳細な説明】
【技術分野】
【０００１】
本発明は、移動端末が移動にともない基地局を切り替えるハンドオーバに関する。
【背景技術】
【０００２】
図１は、一般的な無線通信システムの構成を表す概念図である。
【０００３】
無線通信システムは、一般的に、同図に表したように、移動端末１０と、基地局３０と、移動通信コア網５０と、ネットワーク管理システム９０と、を有する。
【０００４】
基地局３０は、自局の周囲に移動端末１０との無線リンク２０が有効な範囲としてセル３５が設けられ、このセル３５を管理する。
【０００５】
移動端末１０は、基地局３０が管理するセル３５に接続し、基地局３０との間で、通信トラフィックや制御トラフィックなどのデータの送受信を行う。
また、基地局３０は、有線リンク４０を介して接続された移動通信コア網５０との間でデータの送受信を行う。
【０００６】
移動通信コア網５０は、不図示の交換局やサーバ装置を含み、基地局３０と有線リンク４０を介して接続されるとともに、外部網７０と有線リンク６０を介して接続され、基地局３０および外部網７０との間でデータの送受信を行う。
【０００７】
ネットワーク管理システム９０は、有線リンク８０を介して基地局３０と接続されるとともに、有線リンク８１を介して移動通信コア網５０と接続され、無線通信システムの品質監視、故障監視、および構成管理などを行う。
【０００８】
このような無線通信システムにおいては、サービスエリア全域において所要の無線品質を満たすために、基地局３０の無線パラメータを適切に設定することが求められる。無線パラメータの例としては、セル毎の総送信電力、基地局アンテナの垂直・水平面での傾き角、ハンドオーバ候補のセルのリスト、ハンドオーバ閾値、などが代表的である。
【０００９】
無線通信システムにおいては、セルをサービスエリア全域に面的に配置することで、サービスの提供が行われる。移動端末１０は、接続先のセルから他のセルに移動する際に、接続先のセルを切り替えるハンドオーバの処理を行う。以下において、「ハンドオーバ」を「ＨＯ」と表記することにする。
【００１０】
ＨＯは、次のようにして実現する。まず、移動端末１０に対し、接続先のセルおよびＨＯ候補のセルの無線品質を測定し、接続中のセルの無線品質が劣化したら、ＨＯ候補のセルの無線品質の測定情報を、接続中のセルを管理する基地局３０に報告するよう予め指示しておく。そして、基地局３０は、移動端末１０からの報告があった時点でＨＯ先のセルを決定する。
【００１１】
このとき、移動端末１０の負荷を軽減してＨＯを高速に処理するため、ＨＯ先のセルの候補を、一部のＨＯ候補のセルのみに限定する方式が一般に用いられている。この、一部のＨＯ候補のセルが、基地局と各移動端末の間で情報が共有されるリストに登録されるＬｉｓｔｅｄ  Ｃｅｌｌである。以下において、「Ｌｉｓｔｅｄ  Ｃｅｌｌ」を「ＬＣ」と表記することとする。また、ＬＣの前記リストを「ＬＣリスト」ということにする。
【００１２】
ＬＣリストは、通信事業者によりセルごとに生成され、そのセルを管理する基地局３０から下り回線を介して移動端末１０に通知される。移動端末１０は、ＬＣの無線品質を測定し、基地局３０に報告する。
【００１３】
基地局３０は、通常、移動端末１０から報告を受けたＬＣの中からＨＯ先のセルを決定する。そのため、通常、移動端末１０は、ＬＣ以外のセルにはＨＯを行うことができない。
【００１４】
したがって、ＬＣが適切に選択されていない場合には、良好な通信品質が得られる適切なセルへＨＯできずに途中で異常切断が生じたり、不適切なセルへＨＯしたために無線品質が劣化したりするおそれがある。そのため、適切なＬＣリストを生成することが、良好な無線品質を確保するうえで重要になる。
【００１５】
ＬＣリストの最適化は、セルラ通信システムのサービスエリアにおける走行試験の結果などに基づき、専門の技術者によって行われてきた。しかし、近年、セルラ通信システムの運用中に自律的にＬＣリストを最適化する技術が提案された。
【００１６】
非特許文献１は、移動端末からの測定報告が多いセル、及び移動端末のＨＯ試行回数が多いセルを優先的にＬＣリスト登録することを開示している。
【００１７】
非特許文献１には、リスト最適化システムによるＬＣリスト更新方法が記載されている。
【００１８】
図２は、非特許文献１に記載されたセルリスト更新方法を説明する図である。同文献においては、移動端末は、無線品質として基地局から送信されたパイロット信号の受信電力を測定し、報告するものとする。
【００１９】
同文献に記載の候補セルリスト更新方法では、ＬＣごとに、そのＬＣへのハンドオーバの試行数（ａ）が集計される。また、ＬＣの候補のセルであるＬＣ候補セルごとに、そのＬＣ候補セルを管理する基地局から送信されたパイロット信号の受信電力が閾値以上であると移動端末から報告された回数（ｎ）が集計される。
【００２０】
そして、報告数（ｎ）が閾値（ＴｈＡｄｄ）以上であるＬＣ候補セルが、報告数（ｎ）が大きいセルから順にＬＣリストに登録される。それととともに、試行数（ａ）が閾値（ＴｈＤｅｌ）以下であるＬＣが、ＬＣリストから削除されることにより、ＬＣリストが更新される。
【先行技術文献】
【非特許文献】
【００２１】
【非特許文献１】Ｄ．Ｓｏｌｄａｎｉ及びＩ．Ｏｒｅ、“Ｓｅｌｆ−ｏｐｔｉｍｉｚｉｎｇ  Ｎｅｉｇｈｂｏｒ  Ｃｅｌｌ  Ｌｉｓｔ  ｆｏｒ  ＵＴＲＡＦＤＤ  Ｎｅｔｗｏｒｋｓ  Ｕｓｉｎｇ  Ｄｅｔｅｃｔｅｄ  ＳｅｔＲｅｐｏｒｔｉｎｇ”ｉｎ  Ｐｒｏｃ．  ＩＥＥＥ  ６５ｔｈ  ＶｅｈｉｃｕｌａｒＴｅｃｈｎｏｌｏｇｙ  Ｃｏｎｆｅｒｅｎｃｅ  ＶＴＣ２００７、２００７年４月、ｐｐ．６９４−６９８．
【非特許文献２】３ＧＰＰ  ＴＳ３６．３００    Ｖ１２．５．０  （２０１５−０３）（インターネット＜ＵＲＬ＞ｈｔｔｐ：／／ｗｗｗ．３ｇｐｐ．ｏｒｇ／ｆｔｐ／ｓｐｅｃｓ／ａｒｃｈｉｖｅ／３６＿ｓｅｒｉｅｓ／３６．３００／）
【非特許文献３】３ＧＰＰ  ＴＳ３６．３３１  Ｖ１２．５．０  （２０１５−０３）（インターネット＜ＵＲＬ＞ｈｔｔｐ：／／ｗｗｗ．３ｇｐｐ．ｏｒｇ／ｆｔｐ／ｓｐｅｃｓ／ａｒｃｈｉｖｅ／３６＿ｓｅｒｉｅｓ／３６．３３１／）
【発明の概要】
【発明が解決しようとする課題】
【００２２】
しかしながら、ＬＣリストを、ＨＯ実施数のみで最適化すると、例えば、イベントなどで人が集中することにより、その周辺にある特定のＬＣへのＨＯが集中したときには、問題が生じることがある。
【００２３】
前述のように、通常は、ＬＣの数は限られるので、その場合、優先度が低いと判断されたＬＣ候補セルは候補セルリストに登録できないか、一度登録してもＬＣリストから削除することになる。例えば、ＨＯが集中したＬＣ候補セルと比較して、ＨＯの実施数が少ない他のＬＣ候補セルは、そのセルが無線品質確保の観点からはＨＯ先の基地局として適当なセルであったとしても、ＬＣリストから漏れる場合がある。その場合は、無線品質確保の観点からはＨＯ先の基地局として適当なセルに対してＨＯができず、不適切なＬＣに対してのＨＯが試行され、その結果、ＨＯが行えず、あるいは、行えたとしてもＨＯ後の通信品質が低下することが起こる場合がある。
【００２４】
一方、候補セルリストが適切に作成され、上記課題が解決されたとしても、ＨＯ先のセルを適切に選択することができない場合がある。この点について、非特許文献２及び非特許文献３に記載された手順を適用する場合を例に説明する。
【００２５】
同手順では、移動端末は、各ＬＣについての無線品質の測定情報からＨＯ先とすべきセルを選択し、そのセルのＰＣＩ（Ｐｈｙｓｉｃａｌ  Ｃｅｌｌ  Ｉｄｅｎｔｉｆｉｅｒ）を、現在接続先のセルを管理する基地局に報告することになっている。ここでＰＣＩはセルをある程度特定する（絞り込む）ための識別情報である。ＰＣＩには５０４通りの記号の組み合わせのみが割り当てられており、５０４を上回る数のセルについては同じ記号の組み合わせのＰＣＩを割り当てることによりＰＣＩの重複が生じる。そのため、ＰＣＩはセルを完全に識別することができず、絞り込むための情報になるのである。その結果、同じ記号の組み合わせのＰＣＩを持つ複数のセルが候補セルリストに含まれていると、基地局は移動端末がＨＯ先とすべきと判定したＬＣがいずれのＬＣか判別できなくなる場合が生じる。移動端末がＨＯ先とすべきとしなかった同じＰＣＩのＬＣを基地局がＨＯ先と認識した場合には、ＨＯが行えず、あるいは、行えたとしてもＨＯ後の通信品質が低下することが起こり得るのである。
【００２６】
本発明は、上記課題を解決し、あるセルに接続された移動端末が、無線品質の観点から好適であることが期待される候補セルへのＨＯを行う確率を向上できる情報処理方法等を提供することを目的とする。本発明は、また、上記結果として、上記移動端末のＨＯの成功確率を向上させ、あるいは、上記移動端末を通じた通信の品質向上を図ることのできる情報処理方法等を提供することを目的とする。
【課題を解決するための手段】
【００２７】
本発明の情報処理装置は、あるセルの端末がハンドオーバの試行を行う先のセルである試行先セルの候補である候補セルを選択するための情報処理装置であり、導出部と出力部とを備える。前記導出部は、前記あるセルと前記候補セルとの位置関係の緊密さを表す位置関係情報の導出を行う。前記導出部は、また、前記位置関係情報について位置関係の緊密さがより高い旨の評価を行った候補セルに対して、より高い評価の重みづけを与えた評価結果の導出を行う。前記出力部は、前記評価結果の出力を行う。
【発明の効果】
【００２８】
本発明の情報処理方法等は、あるセルに接続された移動端末について、通信品質が好適であることが期待される基地局へのＨＯ試行確率を増やすことができる。その結果として、本発明の情報処理方法等は、上記移動端末のＨＯ成功確率を向上させ、あるいは、上記移動端末を通じた通信の品質向上を図ることができる。
【図面の簡単な説明】
【００２９】
【図１】一般的な無線通信システムの構成を表す概念図である。
【図２】非特許文献１に記載されたＬＣリスト更新方法を説明する図である。
【図３】第一実施形態の情報処理装置３００の構成例を表す概念図である。
【図４】第一実施形態の情報処理装置３００における処理フロー例を表す概念図である。
【図５】第二実施形態の情報処理装置３００における処理フロー例を表す概念図である。
【図６】第三実施形態の情報処理装置２００の構成例を表す概念図である。
【図７】処理部２１０の構成例を表す概念図である。
【図８ａ】第三実施形態の情報処理装置２００の処理フロー例を表す概念図（その一）である。
【図８ｂ】第三実施形態の情報処理装置２００の処理フロー例を表す概念図（その二）である。
【図９】第四実施形態の情報処理装置４００の構成例を表す概念図である。
【図１０】第四実施形態の情報処理装置４００の処理フロー例を表す概念図である。
【図１１】選択条件が、ＬＣのＰＣＩが入力されたＰＣＩに合致することである場合における、第四実施形態の情報処理例を表す概念図である。
【図１２】本発明の最小限の情報処理装置３０１の構成を表す概念図である。
【発明を実施するための形態】
【００３０】
＜用語の説明＞
本明細書中におけるここまでの用語の説明に加えて、［発明を実施するための形態］において用いる、主な用語について、以下に説明する。
「元セル」は、ＨＯを行うことが適切であるかの評価を行うそのＨＯについて、そのＨＯを行う元となるセルをいう。
「先セル」は、ＨＯを行うことが適切であるかの評価を行うそのＨＯについて、そのＨＯを行う先となるセルをいう。
「先セルリスト」は、全ての先セルについてのリストをいう。
＜第一実施形態＞
本実施形態は、元セルとの位置関係がより緊密である旨の評価を行った先セルに対して、より高い評価の重みづけを与えた評価結果の導出を行う情報処理装置についての実施形態である。
［構成と動作］
図３は、本実施形態の情報処理装置３００の構成を表す概念図である。情報処理装置３００は、元セルに接続された移動端末について、先セルの、元セルからＨＯを行う先としての適性を評価する装置である。
【００３１】
情報処理装置３００は、特定部３２０と、導出部３３０と、出力部３４０とを備える。
【００３２】
特定部３２０は、一の先セルを特定する。
【００３３】
導出部３３０は、特定部３２０が特定した先セルについて、元セルに接続された移動端末がＨＯを行う先としての適性を評価し、その評価結果（以下においては単に「評価結果」ということにする。）を導出する。この際のＨＯ適性の評価方法については後述する。評価結果は出力部３４０に送られる。
【００３４】
出力部３４０は、導出部３３０から送られた評価結果を出力する。
［処理フロー］
図４は、本実施形態の情報処理装置３００における処理フローを表す概念図である。
【００３５】
まず、Ｓ１０１において、特定部３２０は、一の先セルを特定する。
【００３６】
次に、Ｓ１０２において、導出部３３０は、元セルとＳ１０１で特定された先セルとの位置関係の緊密さを表す情報を求める。元セルは、本処理の前に特定されているものとする。以下において、元セルと先セルとの位置関係の緊密さを表す情報を、「位置関係情報」ということにする。位置関係情報は、元セルと先セルとの位置関係の緊密さを表す内容であれば何でも構わない。その内容は、例えば、元セルの基地局と先セルの基地局との距離、元セルと先セルとの重なり面積等の重なり具合、元セルが送った基準信号についての先セルの基地局における受信信号強度である。前記受信信号強度は、元セルの基地局と先セルの基地局との距離が近いことにより緊密性が高いほど強くなる相関関係があるので、前記位置関係情報に含まれる。
【００３７】
そして、Ｓ１０３において、導出部３３０は、前記位置関係情報について位置関係がより緊密である旨の評価を行った先セルに対して、より高い評価の重みづけを与えた、評価結果の導出を行う。
【００３８】
［背景技術］の項で説明したように、先セルのＨＯ先としての適性評価は、移動端末の各先セルの基地局との通信品質や各先セルにおいて実行されるＨＯ数等により評価される例が知られている。本実施形態の情報処理装置は、これらの評価に対し、前記位置関係の近さを表す内容の評価の重みづけを行うのである。その評価の重みづけは、例えば、前記評価結果が数値である場合には、前記位置関係がより近い場合（緊密である場合の一種）に、より高い評価値の重みを加えることにより行う。
【００３９】
あるいは、［発明が解決しようとする課題］の項で説明した、移動端末がＨＯを行うべき先セルをＰＣＩにより元セルの基地局に伝達する場合には、このＰＣＩが評価結果の一部である。移動端末が、そのＰＣＩのＬＣにＨＯすべきと評価した結果をＰＣＩで表したものだからである。この場合には、評価結果であるＰＣＩにより絞り込まれたＬＣに対して、前記位置関係の緊密さを表す内容の評価の重みづけを行う。すなわち、仮に同じＰＣＩの先セルが複数存在するような場合には、前記位置関係の近さを表す内容の評価がより高い先セルに高い評価を与え、ＨＯ先のセルとしてより高い確率で選択されるようにする。
【００４０】
求めた評価結果は出力部３４０に送られる。
【００４１】
最後に、Ｓ１０４において、出力部３４０は、導出部３３０から送られた評価結果を出力する。
［効果］
本実施形態の情報処理装置は、先セルのＨＯ先としての適性の評価結果に対し、元セルの基地局と先セルの基地局との位置関係情報について位置関係がより緊密である旨の評価を行った先セルに対して、より高い評価の重みづけを与える。そのため、位置関係情報について位置関係がより緊密である旨の評価になる場合に、その評価結果がより高くなる傾向になる。従い、位置関係情報について位置関係がより緊密である旨の評価になる先セルが、ＨＯ先のセルとして選択される確率が高くなる。そのため、本実施形態の情報処理装置は、あるセルの基地局を介して通信を行う移動端末について、通信品質が好適であることが期待される基地局へのＨＯ試行確率を増やすことができる。その結果として、本発明の情報処理装置は、上記移動端末のＨＯ成功確率を向上させ、あるいは、上記移動端末を通じての通信の品質向上を図ることができる。
＜第二実施形態＞
本実施形態は、前記位置関係情報について位置関係がより緊密である旨の評価を行った先セルに対して、より高い評価の評価結果の導出を行う、情報処理装置に関する実施形態である。前述の第一実施形態の情報処理装置は、前記位置関係情報について位置関係がより緊密である旨の評価を行った先セルに対して、より高い評価の重みづけを行うが、その評価結果の高低については規定していない。これに対し、本実施形態の情報処理装置は、位置関係情報について位置関係がより緊密である旨の評価を行った先セルに対しては、必ずより高い評価結果を与える。位置関係情報について位置関係の緊密さが等しい旨の評価を行った先セルについてのみ、位置関係情報以外の内容の評価により、その評価結果の高低を定めることになる。
［構成と動作］
本実施形態の情報処理装置３００の構成と動作の説明は、図３に表した第一実施形態の情報処理装置３００の構成と動作の説明と同様であるので、省略する。
［処理フロー］
図５は、本実施形態の情報処理装置３００における処理フローを表す概念図である。
【００４２】
Ｓ１０１、Ｓ１０２及びＳ１０４についての説明は、図４における同じ番号で表した処理についての説明と同じであるので、省略する。以下、Ｓ２０３について説明する。
【００４３】
Ｓ２０３において、導出部３３０は、前記位置関係情報について位置関係がより緊密である旨の評価を行った先セルに対して、より高い評価の評価結果の導出を行う。
【００４４】
導出部３３０は、この評価結果の導出を、例えば、位置関係情報についての位置関係の緊密さについての評価と、それ以外の内容についての評価を別々に行うことにより行うことができる。そして、位置関係の緊密さについての評価が、それ以外の内容についての評価に優先されるようにするのである。そして、位置関係情報についての位置関係の緊密さについての評価が等しい場合には、それ以外の内容についての評価により、先セルについてＨＯ先としての適性が評価される。
【００４５】
評価結果は、出力部３４０に送られる。
【００４６】
ここで、位置関係情報についての位置関係の緊密さについての評価は、位置関係の緊密さを表す内容が異なるものをすべて異なった評価にする必要はない。すなわち、位置関係の緊密さを表す内容が一定の範囲にあるものをすべて等しい評価にしても構わない。典型的には、位置関係情報が位置関係の緊密さを表すある条件を満たすものに対してＡと、その条件を満たさないものをＢと評価しても構わない。ただし、位置関係がより緊密なものについての評価がより高くなるようにする。
【００４７】
例えば、位置関係情報が、元セルの基地局と先セルの基地局との距離である場合を想定する。その場合において、その距離がある値よりも短い場合にＣと、短くない場合にＤと評価し、評価Ｃは評価Ｄよりも高い評価であるとするのである。
［効果］
本実施形態の情報処理装置は、先セルのＨＯ先としての適性の評価結果について、元セルと先セルとの位置関係がより緊密な旨の評価を行った先セルに対して、より高い評価を与える。そのため、位置関係情報について位置関係がより緊密な旨の評価になる先セルが、ＨＯ先の基地局のセルとして選択される。従い、本実施形態の情報処理装置は、あるセルの基地局を介して通信を行う移動端末について、通信品質が好適であることが期待される、位置関係情報について位置関係がより緊密な先セルへのＨＯ試行確率を増やすことができる。その結果として、本発明の情報処理装置は、上記移動端末のＨＯ成功確率を向上させ、あるいは、上記移動端末を通じての通信の品質向上を図ることができる。
＜第三実施形態＞
本実施形態は、位置関係情報についての位置関係がより緊密な先セルを優先的にＬＣとする情報処理装置に関する実施形態である。
［構成と動作］
図６は、本実施形態の情報処理装置２００の構成を表す概念図である。
【００４８】
情報処理装置２００は、処理部２１０と、導出部２３０と、リスト更新部２４０と、出力部２５０と、記録部２６０とを備える。
【００４９】
情報処理装置２００は、典型的には、図示しない基地局に設置される場合が多いが、基地局の外に設置されていても構わない。
【００５０】
処理部２１０には、先セルリストの情報か、先セルリストのもとになる情報が入力される。先セルリストのもとになる情報を、以下において、「先セル元情報」ということにする。入力された情報が、先セル元情報である場合は、処理部２１０はその情報から先セルリストを作成する。
【００５１】
また、処理部２１０には、先セルリストの各先セルにおいて行われたＨＯ数に関する情報が入力される。ＨＯ数に関する情報を、以下において、「ＨＯ数情報」ということにする。ＨＯ数情報は、典型的には、単位時間内に先セルにおいて行われたＨＯの試行数である。
【００５２】
処理部２１０には、さらに、先セルリストの各先セルについての位置に関する情報が入力される。各先セルの位置を表す情報を、以下において、「位置情報」ということにする。処理部２１０は、入力された各先セルについての位置情報から、基地局４００と各先セルの基地局との位置関係情報を求める。
【００５３】
ただし、位置情報が位置関係情報である場合もあり得、その場合は、位置情報をそのまま位置関係情報として用いる。
【００５４】
先セルリスト、各先セルのＨＯ数情報、及び、位置関係情報は、記録部２６０に送られ記録されるとともに、導出部２３０に送られる。
【００５５】
導出部２３０は、処理部２１０から送られた、先セルリスト、ＨＯ数情報、及び、位置関係情報を用いて、各先セルについてのＨＯ先としての適性に関する評価情報を求める。各先セルについての評価情報は、記録部２６０に送られ記録されるとともに、リスト更新部２４０に送られる。
【００５６】
リスト更新部２４０は、ＬＣリストの更新を行う。その際に、先セルのうち、評価が上位の所定の数の先セルがＬＣリストに登録されるようにする。更新されたＬＣリストは、記録部２６０に送られ記録されるとともに、出力部２５０に送られる。
【００５７】
出力部２５０は、リスト更新部２４０から送られたＬＣリストを出力する。出力されたＬＣリストは、記録部２６０に記録されるとともに、図示しない基地局や移動端末に送られる。そして、ＬＣリストのＬＣは、移動端末や基地局がさらにＨＯ先を絞り込む候補となる。
【００５８】
記録部２６０は、処理部２１０、導出部２３０及びリスト更新部２４０が自己に送る情報を、それぞれからの指示に基づき、記録する。記録部２６０は、複数に分かれていてもよいし、さらには、情報処理装置１００の他の構成の一部であっても構わない。
【００５９】
図７は、処理部２１０の構成例を表す概念図である。
【００６０】
処理部２１０は、通信部１４０と、導出部１５０と、電波送信部１６０とを備える。
【００６１】
電波送信部１６０は、図示しない送信アンテナを備えており、送信アンテナを通じて、基地局群５１０を構成する各基地局に対して、基準電波を送信する。基地局群５１０を構成する各基地局を、以下において、「他基地局」ということにする。
【００６２】
通信部１４０は、ネットワーク９００に接続されている。ネットワーク９００には、基地局群５１０が接続されている。通信部１４０は、他基地局と、ネットワーク９００を介して通信を行うことができる。他基地局は、電波送信部１６０が送信する基準電波を受信し、その受信信号強度を求め、求めた受信信号強度を通信部１４０に対してネットワーク９００を介して送ることができる。以下においては、基準電波についての受信信号強度を、「受信強度」ということにする。
【００６３】
導出部１５０は、通信部１４０を通じてネットワーク９００を介して、他基地局に対し、電波送信部１６０が送信した基準電波についての受信強度に関する情報を送るよう指示する。この指示を受けて、他基地局は、ネットワーク９００を介して、受信強度に関する情報を通信部１４０に送る。
【００６４】
通信部１４０は、他基地局から送られた受信強度に関する情報を導出部１５０に送る。
【００６５】
導出部１５０は、他基地局の受信強度を先セル元情報として用い、先セルリストを作成することができる。
【００６６】
例えば、導出部１５０は、外部からの入力により、先セルリストにするかどうかを判定するための受信強度の第一閾値を設定する。この際の外部からの入力は、例えば、通信部１４０を通じてネットワーク９００を介して、行われる。そして、導出部１５０は、受信強度が第一閾値を超えているセルのみを先セルとする。この場合は、受信強度は先セル元情報として用いられたことになる。
【００６７】
導出部１５０は、さらに、通信部１４０を通じてネットワーク９００を介して、他基地局に対し、位置情報を送るよう指示する。この指示を受けて、他基地局は自己の位置情報を、ネットワーク９００を介して、通信部１４０に送る。
【００６８】
一方、通信部１４０は、他基地局から送られた位置情報を導出部１５０に送る。
【００６９】
導出部１５０は、通信部１４０から送られた位置情報から位置関係情報を求める。導出部１５０は、あるいは、位置情報が位置関係情報である場合には、位置情報を位置関係情報としてそのまま用いる。
【００７０】
例えば、導出部１５０は、位置情報として他基地局の緯度及び経度を、位置関係情報として基地局４００と他基地局との距離を用いることができる。前記距離が近いということは、他基地局のセルと基地局４００のセルとが、重なっているか近接している可能性が高いことを示唆している。そのようなセルは、ＨＯを試行する時点において、基地局４００のセルの移動端末との間で良好な通信品質が確保されることから、移動端末がＨＯを試行する候補として適している可能性が高い。
【００７１】
あるいは、位置情報として他基地局のセルの範囲の位置を表す情報、位置関係情報として基地局４００のセルの範囲と他基地局のセルの範囲との重なっている面積を用いることもできる。その重なっている面積が大きいほど、ＨＯを試行する時点において、基地局４００のセルの移動端末との間で良好な通信品質が確保されることから、基地局４００のセルに接続された移動端末がＨＯを試行する候補として適している可能性が高いためである。
【００７２】
他基地局のセルの範囲の位置を表す情報は、位置情報を導出するための情報として、他基地局の緯度及び経度、他基地局のアンテナの設置角度、並びに送信強度等を他基地局から入手し、導出部１５０がそれらの値から導出して求めても構わない。
【００７３】
前述の他基地局の受信強度を、位置情報を兼ねる位置関係情報として用いることもできる。受信強度は、基地局４００と各先セルの基地局との距離が遠いほど弱くなるという相関関係があるため、基地局４００のセルと各先セルとの位置関係の緊密さを表す位置関係情報になり得るのである。
【００７４】
次に、導出部１５０が、位置関係情報により評価情報を求める方法について説明する。
【００７５】
まず、導出部１５０は、外部からの入力により、後述する位置関係情報に関する条件を設定する。この際の外部からの入力は、例えば、通信部１４０を通じてネットワーク９００を介して、行われる。そして、その条件に合致する位置関係情報の先セル群を、その位置関係情報と結びつけて、第一作業リストとする。
【００７６】
例えば、位置関係情報を基地局４００と他基地局との距離とした場合には、上記条件は、例えば、その距離が、距離についての閾値以下（または未満）であることである。
【００７７】
また、位置関係情報を基地局４００のセルの範囲と他基地局のセルの範囲との重なる面積とした場合には、上記条件は、例えば、その面積が、面積についての閾値以下（又は未満）であることである。
【００７８】
また、位置関係情報を受信強度とした場合には、上記条件は、例えば、受信強度が、受信強度についての閾値以上である（又は、を超える）ことである。
【００７９】
次に、導出部１５０は、ＨＯ数を用いて他基地局を評価する。その評価は、例えば、ＨＯ数がより高い他基地局に対し、より高い評価を与えることにより行う。導出部１５０は、ＨＯ数を用いて評価した他基地局は、その評価結果と結びつけて第二作業リストとする。その後、導出部１５０は、第一作業リストと重複する他基地局を、第二作業リストから削除する。
【００８０】
次に、リスト更新部２４０において行われるＬＣリストの更新方法の例を説明する。
【００８１】
まず、リスト更新部２４０は、第一作業リストにある他基地局を優先的にＬＣとする。第一作業リストにある他基地局のセルは、基地局４００のセルと重なっているか、あるいは近い位置にある可能性が高いセルである。そのようなセルは、移動端末が接続した場合の通信品質が良好である可能性が高いので、ＬＣから除外される可能性を抑えるためである。第一作業リストにある先セル数が、登録（又は追加登録）可能なＬＣ数を上回っている場合は、リスト更新部２４０は、評価が高い先セルから優先的にＬＣとする。リスト更新部２４０は、第一作業リストにある先セル数が、登録（又は追加登録）可能なＬＣ数を下回っている場合には、その下回っている登録枠について、第二作業リストの先セルのうち評価の高いものから順にＬＣとしての登録を行う。
【００８２】
導出部１５０は、位置関係情報とＨＯ数とから評価値を導出しても構わない。
【００８３】
この場合の評価値は、例えば、
評価値＝Ａ×（位置関係情報を表す値）＋（ＨＯ数）
とする。ここで、Ａは位置関係情報を表す値の評価値への重みづけをするための値であり、位置関係情報の評価値への影響をより大きくするためには、この値を大きくする。
【００８４】
リスト更新部２４０は、評価が高い先セルから優先的にＬＣにする。
［処理フロー］
図８ａ及び８ｂは、導出部１５０において行われる、本実施形態の情報処理例を表す概念図である。
【００８５】
まず、Ｓ４０１において、導出部１５０は、先セルリストを作成し、さらに、その写しである作業リストを作成する。
【００８６】
次に、Ｓ４０２において、導出部１５０は、位置関係情報に関する判断基準を設定する。
【００８７】
そして、Ｓ４０３において、導出部１５０は、ＨＯ数に関する閾値ＴｈＨＯを設定する。
【００８８】
次に、Ｓ４０４において、導出部１５０は、ＬＣリストに登録するセル数の上限値ＴｈＮを設定する。
【００８９】
そして、Ｓ４０５において、導出部１５０は、各先セルにおいて行われたＨＯ数の取得を行う。この取得は、例えば、導出部１５０が、通信部１４０を通じて、ネットワーク９００を介して、各先セルの基地局に送付を要求することにより行う。その要求を受けて、各先セルの基地局は、自己のセルの移動端末において行われたＨＯ数を、ネットワーク９００を介して、通信部１４０に送るものとする。通信部１４０は、送られたＨＯ数を導出部１５０に送る。
【００９０】
次に、Ｓ４０６において、導出部１５０は、各先セルにおけるＨＯ数を、記録部２６０に記録する。
【００９１】
一方、Ｓ４０７において、導出部１５０は、各先セルの基地局の位置情報を取得する。この取得は、例えば、導出部１５０が、通信部１４０を通じて、ネットワーク９００を介して、各先セルの基地局に送付を要求することにより行う。その要求を受けて、各先セルの基地局は、自己の位置情報を、ネットワーク９００を介して、通信部１４０に送るものとする。通信部１４０は、送られた位置情報を、記録部２６０に記録するとともに、導出部１５０に送る。
【００９２】
そして、Ｓ４０８において、導出部１５０は、送られた位置情報から位置関係情報を導出する。ただし、前述の受信強度を位置関係情報として用いる場合のように、位置情報が位置関係情報である場合は、位置情報を位置関係情報としてそのまま用いる。導出部１５０は、記録部２６０に、位置関係情報を記録する。
【００９３】
次に、Ｓ４１１において、導出部１５０は、Ｓ４０１で作成した作業リストから一の先セルを特定する。
【００９４】
そして、Ｓ４１２において、導出部１５０は、Ｓ４１１において特定した先セルについてのＨＯ数を、記録部２６０から取得する。
【００９５】
また、Ｓ４１３において、導出部１５０は、Ｓ４１１において特定した先セルについての位置関係情報を、記録部２６０から取得する。
【００９６】
そして、Ｓ４１４において、導出部１５０は、取得した位置関係情報が、Ｓ４０２において設定した判断基準を満たすかについて判定する。
【００９７】
Ｓ４１４において、Ｓ４０２において設定した判断基準を満たすと判定した場合は、Ｓ４２１に移行する。
【００９８】
一方、Ｓ４１４において、Ｓ４０２において設定した判断基準を満たすと判定しなかった場合は、Ｓ４１５に移行する。
【００９９】
そして、Ｓ４１５において、導出部１５０は、Ｓ４１２において取得したＨＯ数が、Ｓ４０３において設定したＨＯ数に関する閾値ＴｈＨＯより大きいかを判定する。
【０１００】
Ｓ４１５において、ＨＯ数が閾値ＴｈＨＯより大きいと判定した場合は、Ｓ４２１に移行する。
【０１０１】
一方、Ｓ４１５において、ＨＯ数が閾値ＴｈＨＯより大きいと判定しなかった場合は、Ｓ４３１に移行する。
【０１０２】
そして、Ｓ４３１において、導出部１５０は、特定した先セルを作業リストから削除する。削除された作業リストは記録部２６０に記録される。
【０１０３】
そして、Ｓ４３２において、導出部１５０は、作業リストに先セルがあるかを判定する。
【０１０４】
Ｓ４３２において、作業リストに先セルがあると判定した場合は、導出部１５０は、Ｓ４１１に移行する。
【０１０５】
一方、Ｓ４３２において、作業リストに先セルがあると判定しなかった場合は、導出部１５０は、本処理を終了する。
【０１０６】
Ｓ４２１に移行した場合は、導出部１５０は、Ｓ４１１において特定した先セルについて、評価を導出する。導出された評価は、記録部２６０に記録される。
【０１０７】
そして、Ｓ４２２において、導出部１５０は、すでにあるＬＣの数が、Ｓ４０４で設定したＬＣリストに登録するセル数の上限値ＴｈＮを下回っているかを判定する。
【０１０８】
Ｓ４２２において、導出部１５０は、セル数の上限値ＴｈＮを下回っていると判定した場合は、Ｓ４２３に移行する。
【０１０９】
そして、Ｓ４２３において、導出部１５０は、Ｓ４１１において特定した先セルをＬＣリストに加える。特定した候補リストを加えたＬＣリストは、記録部２６０に記録される。
【０１１０】
そして、導出部１５０は、Ｓ４３１に移行する。
【０１１１】
一方、Ｓ４２２において、セル数の上限値ＴｈＮを下回っていると判定しなかった場合は、導出部１５０は、Ｓ４２４に移行する。
【０１１２】
そして、Ｓ４２４において、導出部１５０は、ＬＣリストにすでにあるＬＣのうち評価が最も低いものを特定する。
【０１１３】
そして、Ｓ４２５において、導出部１５０は、Ｓ４１１において特定した先セルの評価が、ＬＣリストにすでにあるＬＣのうち評価が最も低いものの評価より高いかを判定する。
【０１１４】
Ｓ４２５において、導出部１５０は、ＬＣのうち評価が最も低いものの評価より高いと判定した場合は、Ｓ４２６に移行する。
【０１１５】
そして、Ｓ４２６において、導出部１５０は、既にあるＬＣのうち評価点が最も低いものをＬＣリストから削除する。削除したＬＣリストは記録部２６０に記録される。
【０１１６】
そして、導出部１５０は、Ｓ４２３に移行する。
【０１１７】
一方、Ｓ４２５において、導出部１５０は、ＬＣのうち評価が最も低いものの評価より高いと判定しなかった場合は、Ｓ４３１に移行する。
［効果］
本発明の情報処理方法等は、あるセルの基地局を介して通信を行う移動端末が、通信品質が好適であることが期待される、緊密な位置関係を持つ先セルを、優先的にＬＣとする。ＬＣは移動端末がＨＯを試行する候補となる先セルのリストである。そのため、本発明の情報処理方法等は、通信品質が好適であることが期待される、緊密な位置関係を持つ先セルへのＨＯ試行確率を増やすことができる。その結果として、本発明の情報処理方法等は、上記移動端末のＨＯ成功確率を向上させ、あるいは、通信品質向上を図ることができる。
＜第四実施形態＞
本実施形態は、ＬＣリストからＨＯ先とすべきＬＣを絞り込んだ結果として、複数のＬＣが候補として絞り込まれた場合に、位置関係情報についての位置関係の緊密さがより高いＬＣをＨＯ先として選択する、情報処理装置についての実施形態である。
［前提］
本実施形態の情報処理装置においては、ＬＣリストがすでに作成され、各ＬＣについて位置関係情報がすでに求められており、これらが記録されているものとする。
［構成と動作］
図９は、本実施形態の情報処理装置４００の構成を表す概念図である。
【０１１８】
情報処理装置４００は、処理部４１０と、記録部４６０と、出力部４５０とを備える。
【０１１９】
情報処理装置４００は、典型的には図示しない基地局に設置されるが、基地局の外に設置されていても構わない。
【０１２０】
処理部４１０には、ＬＣからＨＯ先としてより適切なセルを絞り込むための条件（以下において「選択条件」ということにする。）が入力される。選択条件は、例えば、入力される絞り込み情報に合致することである。ここで、「絞り込み情報」は、本情報処理装置の外部により、元セルの移動端末のＨＯ先として適切であると判定されたＬＣを絞り込む情報である。
【０１２１】
絞り込み情報は、典型的には、元セルの移動端末により、その移動端末のＨＯ先として適切であると判定されたＬＣについてのＰＣＩである。
【０１２２】
処理部４１０は、入力された選択条件を用いて、記録部４６０に記録されたＬＣを検索する。そして、選択条件に合致するＬＣが複数存在するかを判定し、複数存在する場合は、それぞれのＬＣについての位置関係情報についてその位置関係の緊密さを比較する。その結果、最も緊密と判定されたＬＣを、前記移動端末のＨＯ先のＬＣとして選択し、そのＬＣ特定情報を、出力部４５０に送る。ここで、ＬＣ特定情報は、一のＬＣについて、他のＬＣのものとは同一にならない識別情報であり、典型的には、非特許文献２及び非特許文献３に記載されたＥ−ＵＴＲＡＮ  Ｃｅｌｌ  Ｇｌｏｂａｌ  Ｉｄｅｎｔｉｆｉｅｒ（ＥＣＧＩ）である。
【０１２３】
出力部４５０は、ＬＣ特定情報を出力する。
［処理フロー］
図１０は、本実施形態の情報処理例を表す概念図である。
【０１２４】
まず、Ｓ５０１において、処理部４１０に選択条件が入力される。
【０１２５】
次に、Ｓ５０２において、処理部４１０は、記録部４６０に記録された情報を読み込み、選択条件に合致するＬＣを検索する。
【０１２６】
そして、Ｓ５０３において、処理部４１０は、記録部４６０に記録された情報を読み込み、選択条件に合致したＬＣについて、位置関係情報を検索する。
【０１２７】
そして、Ｓ５０４において、処理部４１０は、選択条件に合致したＬＣから、位置関係情報について位置関係の緊密さが最も高いと判定されるＬＣをＨＯ試行先と選択する。ただし、Ｓ５０２の処理を行った結果、入力された選択条件に合致するＬＣが一つしかない場合は、位置関係情報について位置関係の緊密さについての判定を行わずにそのＬＣを選択することもできる。
【０１２８】
そして、Ｓ５０５において、選択したＬＣについてのＬＣ特定情報を出力する。
【０１２９】
図１１は、選択条件が、ＬＣのＰＣＩが入力されたＰＣＩに合致することである場合における、本実施形態の情報処理例を表す概念図である。
【０１３０】
まず、Ｓ６０１において、処理部４１０にＰＣＩが入力される。
【０１３１】
次に、Ｓ６０２において、処理部４１０は、記録部４６０に記録された情報を読み込み、入力されたＰＣＩに合致するＬＣを検索する。
【０１３２】
そして、Ｓ６０３において、処理部４１０は、記録部４６０に記録された情報を読み込み、ＰＣＩに合致したＬＣについて、位置関係情報を検索する。
【０１３３】
そして、Ｓ６０４において、処理部４１０は、ＰＣＩに合致したＬＣから、位置関係情報について位置関係の緊密さが最も高いと判定されるＬＣをＨＯ試行先として選択する。ただし、Ｓ５０２の処理を行った結果、入力されたＰＣＩに合致するＬＣが一つしかない場合は、位置関係情報について位置関係の緊密さについての判定を行わずにそのＬＣを選択することもできる。
【０１３４】
そして、Ｓ６０５において、選択したＬＣについてのＥＣＧＩを出力する。
［効果］
本実施形態の情報処理装置は、選択条件に合致したＬＣが複数ある場合において、その複数のＬＣから位置関係情報についての位置関係の緊密さが最も高いＬＣをＨＯ試行先として選択する。位置関係情報についての位置関係の緊密さが最も高いＬＣは、ＨＯを行う移動端末が、そのＬＣの基地局から送られる無線電波について十分な受信信号強度を得ることができる確率が高い。また、その移動端末が送る無線電波についてそのＬＣが十分な受信信号強度を得ることができる確率が高い。そのため、本実施形態の情報処理装置は、あるセルの基地局を介して通信を行う移動端末について、通信品質が好適であることが期待される基地局へのＨＯ試行確率を増やすことができる。その結果として、本発明の情報処理装置は、上記移動端末のＨＯ成功確率を向上させ、あるいは、通信品質向上を図ることができる。
【０１３５】
なお、本発明の最小構成の情報処理装置３０１の構成を表わす概念図を図１２に表す。
【０１３６】
本発明の最小構成の情報処理装置３０１は、あるセルの端末がハンドオーバの試行を行う先のセルである試行先セルの候補を選択するための情報処理装置であり、導出部３３１と出力部３４１とを備える。
【０１３７】
導出部３３１は、前記あるセルと、前記試行先セルの候補である先セルと、の位置関係の緊密さを表す位置関係情報の導出を行う。導出部３３１は、また、前記位置関係情報における位置関係の緊密さがより高い旨の評価を行った先セルに対して、より高い評価の重みづけを与えた評価結果の導出を行う。
【０１３８】
出力部３４１は、前記評価結果の出力を行う。
【０１３９】
本発明の最小構成の情報処理方法は、上記構成により、［発明の効果］に記載した効果を奏する。
【０１４０】
以上において説明した各実施形態の情報処理装置は、例えばＣＰＵ及び記憶装置を備えたコンピュータと、これらのハードウェア資源を制御する情報処理プログラムによって実現することができる。ここで、ＣＰＵはＣｅｎｔｒａｌ  Ｐｒｏｃｅｓｓｉｎｇ  Ｕｎｉｔをいう。この場合、ＣＰＵは、記憶装置に格納された情報処理プログラムに従って各実施形態において説明した処理を実行する。
【０１４１】
以上好ましい実施形態をあげて本発明を説明したが、本発明は必ずしも上記実施形態に限定されるものではなく、その技術的思想の範囲内において様々に変形し実施することができる。
【０１４２】
また、上記の実施形態の一部又は全部は、以下の付記のようにも記述され得るが、以下には限られない。
【０１４３】
（付記Ａ１）
あるセルに接続された端末がハンドオーバの試行を行う先のセルである試行先セルの候補である候補セルを選択するための情報処理方法であって、
前記あるセルと前記候補セルとの位置関係の緊密さを表す位置関係情報の導出を行い、前記位置関係情報について位置関係の緊密さがより高い旨の評価を行った候補セルに対して、より高い評価の重みづけを与えた評価結果の導出を行い、
前記評価結果の出力を行う、
情報処理方法。
【０１４４】
（付記Ａ２）
前記重みづけが、前記位置関係情報についての位置関係の緊密さがより高い旨の評価を行った候補セルに対して、より高い評価結果の導出を行う重みづけである、付記Ａ１に記載された情報処理方法。
【０１４５】
（付記Ａ３）
前記重みづけが、前記位置関係情報についての位置関係の緊密さが、ある基準より高い旨の評価を行った候補セルに対して、前記ある基準より高い旨の評価を行わなかった候補セルより、より高い評価結果の導出を行う重みづけである、付記Ａ１に記載された情報処理方法。
【０１４６】
（付記Ａ４）
前記導出部が、さらに、より高い評価結果を導出したセルについて優先的に候補セルとしての選択を行い、前記出力部が前記選択の結果を出力する、付記Ａ１乃至付記Ａ３のうちのいずれか一に記載された情報処理方法。
【０１４７】
（付記Ａ５）
評価結果の高い候補セルを、優先的に、前記基地局と前記端末との間で情報が共有される共有候補セルとする付記Ａ４に記載された情報処理方法。
【０１４８】
（付記Ａ６）
前記重みづけが、
前記候補セルの前記試行先セルとしての適性を評価するための条件に合致することの判定により絞り込んだ候補セルについて行う重みづけである、
付記Ａ３に記載された情報処理方法。
【０１４９】
（付記Ａ７）
前記条件が、前記端末が求めた条件である、付記Ａ６に記載された情報処理方法装置。
【０１５０】
（付記Ａ８）
前記条件が、前記基地局と前記端末との間で情報が共有される複数の共有候補セルを絞りこむための絞り込み情報について、前記端末が送る絞り込み情報と、前記共有される候補セルと結びつけられた絞り込み情報と、が合致することである、付記Ａ３乃至付記Ａ５のうちのいずれか一に記載された情報処理方法。
【０１５１】
（付記Ａ９）
前記絞り込み情報がＰｈｙｓｉｃａｌ  Ｃｅｌｌ  Ｉｄｅｎｔｉｆｉｅｒである、付記Ａ８に記載された情報処理方法。
【０１５２】
（付記Ａ１０）
前記評価結果が、より高い評価のセルを優先的に候補セルとして選択することである、付記Ａ１乃至付記Ａ３のうちのいずれか一に記載された情報処理方法。
【０１５３】
（付記Ａ１１）
より高い評価結果を導出したセルを優先的に試行先セルとして選択する、付記Ａ１乃至付記Ａ１０のうちのいずれか一に記載された情報処理方法。
【０１５４】
（付記Ａ１２）
前記評価結果が、より高い評価のセルを優先的に試行先セルとして選択することである、付記Ａ１乃至付記Ａ１０のうちのいずれか一に記載された情報処理方法。
【０１５５】
（付記Ａ１３）
前記基地局と前記端末との間で情報が共有される共有候補セルが、登録される共有候補セルの数が制限されたリストに登録される候補セルである付記Ａ５又は付記Ａ８に記載された情報処理方法。
【０１５６】
（付記Ａ１４）
前記基地局と前記端末との間で情報が共有される共有候補セルが、登録される共有候補セルの数が制限されたリストに登録されるＬｉｓｔｅｄ  Ｃｅｌｌである付記Ａ５又は付記Ａ８に記載された情報処理方法。
【０１５７】
（付記Ｂ１）
あるセルの端末がハンドオーバの試行を行う先のセルである試行先セルの候補である候補セルを選択するための情報処理装置であって、
前記あるセルと前記候補セルとの位置関係の緊密さを表す位置関係情報の導出をおこない、前記位置関係情報について位置関係の緊密さがより高い旨の評価を行った候補セルに対して、より高い評価の重みづけを与えた評価結果の導出を行う、導出部と、
前記評価結果の出力を行う出力部と、
を備える情報処理装置。
【０１５８】
（付記Ｃ１）
あるセルの端末がハンドオーバの試行を行う先のセルである試行先セルの候補である候補セルを選択するための処理をコンピュータに実行させる情報処理プログラムであって、
前記あるセルと前記候補セルとの位置関係の緊密さを表す位置関係情報を導出し、前記位置関係情報について位置関係の緊密さがより高い旨の評価を行った候補セルに対して、より高い評価の重みづけを与えた評価結果の導出を行う、処理と、
前記評価結果の出力を行う処理と、
を含む処理をコンピュータに実行させる情報処理プログラム。
【符号の説明】
【０１５９】
１０    移動端末
２０    無線リンク
３０    基地局
３５    セル
４０、６０、８０、８１    有線リンク
５０    移動通信コア網
７０    外部網
９０    ネットワーク管理システム
１４０    通信部
１５０    導出部
１６０    電波送信部
２００、３００、３０１、４００    情報処理装置
２１０、４１０    処理部
２３０、３３０、３３１    導出部
２４０    リスト更新部
２５０、３４０、３４１、４５０    出力部
２６０、４６０    記録部
３２０    特定部
５１０    基地局群
９００    ネットワーク
【図１】
0006608636.tif 000002
【図２】
0006608636.tif 000003
【図３】
0006608636.tif 000004
【図４】
0006608636.tif 000005
【図５】
0006608636.tif 000006
【図６】
0006608636.tif 000007
【図７】
0006608636.tif 000008
【図８ａ】
0006608636.tif 000009
【図８ｂ】
0006608636.tif 000010
【図９】
0006608636.tif 000011
【図１０】
0006608636.tif 000012
【図１１】
0006608636.tif 000013
【図１２】
0006608636.tif 000014